(57)【要約】      （修正有）【課題】非常時による夜間停電時、日常時の夜間消灯時における暗闇の中でも、床面及び壁面の位置を把握できると共に、床面上及び壁面側の障害物を容易に認識でき、より安全に歩行して目的地まで移動できるよう誘導の補助をする木製建材を提供する。【解決手段】木製の床材、壁材、巾木の面取部分や雄実部分の長手方向に渡って蓄光塗装２、３を施す。【選択図】図１
0003177677.tif 000002
【実用新案登録請求の範囲】
【請求項１】
住宅等に施工される木製床材において、面取部分或いは雄実部分、またはその両方の長手方向に渡って蓄光塗装を施したことを特徴とする木製床材。
【請求項２】
住宅等に施工される木製壁材において、面取部分或いは雄実部分、またはその両方の長手方向に渡って蓄光塗装を施したことを特徴とする木製壁材。
【請求項３】
住宅等に施工される木製壁材において、面取部分の長手方向に渡って蓄光塗装を施したことを特徴とする木製巾木。
【請求項４】
請求項１、２、３記載の木製床材、木製壁材及び木製巾木は、災害等による非常時の夜間停電時或いは日常時の夜間消灯時など、暗闇になった場合に蓄光塗装を施した箇所が発光し、移動経路としての床面、及び隣室への移動箇所となるドア開口部を除いた壁面が発光する。一方で、移動の際に障害物となり得る床面上、壁面側にある家具等の障害物が存在する箇所では、障害物により発光が隠れる為、歩行者が障害物の位置を認識できる。これにより、暗闇の中でも歩行者が安全に歩ける場所を誘導補助することを特徴とする木製床材、木製壁材及び木製巾木。
【考案の詳細な説明】
【技術分野】
【０００１】本考案は、住宅等における非常時の夜間停電時或いは日常時の夜間のように、暗所においても人が安全に移動できるよう誘導の補助となる木製建材に関するものである。
【背景技術】
【０００２】災害等による非常時、特に夜間に停電した際には、住宅のように非常照明のない建物では、居室及び廊下は照明がなくなり暗闇となる。また、日常時の夜間においても、完全に消灯した状況下では居室及び廊下は暗闇となる。このような場合、光源が得られるまでは床面上或いは壁面側の障害物の有無が判別できず、また壁の位置を把握することができず、安全を確保できない状況下での移動を強いられていた。
【先行技術文献】
【特許文献】
【０００３】
【特許文献１】  特開２００４−１７６４５７号公報
【考案の概要】
【考案が解決しようとする課題】
【０００４】特許文献１は、床材に溝を設け、その溝部分に蓄光層を配置させることで、溝部分が非常時の暗闇で発光するというものである。すなわち、表面に凹凸を生じる形状とした床材を提供しているが、床表面がフラットではないことから、歩行者にとって歩行感が損なわれるという印象を抱く可能性が考えられる。【０００５】夜間に災害が発生し停電状態となった場合、突然、居室及び廊下の照明が消え暗闇となることで、心理上、極度の不安状況に陥ることが考えられる。そのような心理状況の中、床材が発光するとはいえ、小さな段差の存在に更に不安が増すことが考えられ、歩行面が凹凸なくフラットであることは、より安全な移動のためにも重要と考えられる。【０００６】また、特許文献１では、床材と巾木が一体となった形状も提供しているが、巾木のみでは床面に近い箇所を発光するのみであり、歩行者の目線からは、床と壁の判別がしづらい状況が想定される。【０００７】以上の状況を鑑み、非常時による夜間停電時、或いは日常時の夜間消灯時における暗闇の中でも、床面及び壁面の位置を把握できると共に、床面上及び壁面側の障害物を容易に認識でき、より安全に歩行して目的地まで移動できるよう誘導補助を目的とする。
【課題を解決するための手段】
【０００８】上記目的を達成するため、昼間或いは夜間照明下で蓄光する箇所を部分的に有し、暗闇の中で蓄光箇所が発光することを特徴とする木製床材、木製壁材及び木製巾木を提供する。また、木製床材については、歩行感を損なうことがないよう、表面はフラットな形状となっている。
【考案の効果】
【０００９】暗闇の中で部分的に発光する木製床材により、発光している床面上には家具などの障害物が無く、逆に発光が途切れている箇所には家具などの障害物があることを認識できるので、暗闇を歩く歩行者がより安全な部分を選択して歩行することが可能となる。【００１０】暗闇の中で部分的に発光する木製壁材により、より歩行者の目線に近い位置、例えば腰の位置まで発光することで、暗闇を歩く歩行者にとって壁の位置を認識し易くなり、壁への衝突或いは接触を避けることができる。また、壁面で発光が途切れている箇所には家具などの障害物があることを認識できるので、発光している箇所と発光が途切れている箇所を見分けることで、壁面側に置かれた家具などの障害物を認識することが可能となる。【００１１】暗闇の中で部分的に発光する木製床材、木製壁材及び木製巾木を併用することで、壁面側の木製壁材、木製巾木による発光が途絶えている一方で、その発光が途絶えている壁面に接する床面上の発光が視認できる箇所についてはドア開口部と判断できる為、隣室への移動通路の誘導補助が可能となる。
【図面の簡単な説明】
【００１２】
【図１】本考案を実施する為の木製床材、木製壁材及び木製巾木の最良の形態の斜視図である。
【図２】本考案を実施する為の木製床材、木製壁材及び木製巾木の最良の形態の断面図である。
【図３】本考案の木製床材、木製壁材及び木製巾木の施工状態の断面図である。
【図４】本考案の木製床材、木製壁材及び木製巾木の施工状態の斜視図である。
【考案を実施するための形態】
【００１３】以下、本考案の実施の形態を図に基づいて説明する。
【実施例】
【００１４】図１及び図２に本考案の蓄光部を有する暗所誘導補助型の木製床材、木製壁材及び木製巾木の実施例を示す。図１は木製床材、木製壁材及び木製巾木の斜視図であり、図２は木製床材、木製壁材及び木製巾木の断面図を示す。木製床材、木製壁材及び木製巾木の長手方向の面取部分２、或いは雄実部分３に蓄光剤を含む蓄光塗装を施している。蓄光塗装は、面取部分２のみでも良いし、面取部分２と雄実部分３の両方に施しても構わない。尚、蓄光塗装は、残光時間が長く且つ残光輝度が高いもので、放射性物質を含まないものが好適である。【００１５】図３に本考案の蓄光部を有する暗所誘導補助型の木製床材、木製壁材及び木製巾木を施工した際の断面図を示す。本考案を実施する木製床材、木製壁材及び木製巾木は無垢材である。このうち、木製床材及び木製壁材を施工する際、施工後の木材の湿気挙動を考慮して隣り合う木製床材同士及び木製壁材同士の間を１ｍｍ程度の隙間を空けて施工することになる。【００１６】木製床材、木製壁材及び木製巾木の蓄光塗装が施された面取部分２、或いは木製床材、木製壁材については、１ｍｍ程度の隙間から覗く雄実部分３にも、日中或いは夜間照明による光が照射されることで蓄光し、災害時の夜間停電時、或いは日常の夜間消灯時のように居室、廊下が暗闇になった場合には、これらの部分が線状に発光する。【００１７】これにより、非常照明等の緊急設備が無い住宅でも、暗闇の中で木製床材、木製壁材及び木製巾木の線状の発光の有無により、床面或いは壁面の位置、並びに床面上或いは壁面側に設置された家具等の障害物の有無を確認できるので、歩行者は暗闇の中でも障害物の無い安全な箇所を歩行することができる。【００１８】図４に本考案の蓄光部を有する暗所誘導補助型の木製建材の施工後の斜視図を示す。（ａ）に光が照射されている状態、（ｂ）に暗闇になった状態を示す。（ｂ）に示すように暗闇になることで、床材の面取部分２或いは雄実部分３に施された蓄光塗装部が発光するが、床面上或いは壁面側に家具等が存在する場所では線状の発光が途切れる為、その部分には家具９等の障害物があることが判別できる。すなわち、歩行者は床材が発光している部分を選択して歩行することで暗闇の中でも安全に移動できる。【００１９】また、暗闇の中ではドア開口部１０では壁面の発光が無い一方で、その壁面に接する床面には発光が見られる為、歩行者はドア開口部１０の位置を判別し、その開口部を通じて隣室に移動することができる。
【産業状の利用可能性】
【００２０】本考案は、住宅など非常照明を設置しない建築物において、部分的に蓄光塗装が施されており、災害等による夜間停電時或いは日常の夜間消灯時には蓄光塗装を施された箇所が発光して歩行者を安全に誘導、補助する木製床材、木製壁材及び木製巾木に好適である。
【符号の説明】
【００２１】１    木製床材
２    蓄光塗装面取部
３    蓄光塗装雄実部
４    木製壁材
５    木製巾木
６    施工後木製床材
７    施工後木製壁材
８    施工後木製巾木
９    家具
１０  ドア開口部
１１  見切り縁
【図１】
0003177677.tif 000003
【図２】
0003177677.tif 000004
【図３】
0003177677.tif 000005
【図４】
0003177677.tif 000006
【手続補正書】
【提出日】平成24年4月28日(2012.4.28)
【手続補正２】
【補正対象書類名】実用新案登録請求の範囲
【補正対象項目名】全文
【補正方法】変更
【補正の内容】
【実用新案登録請求の範囲】
【請求項１】
住宅等に施工される木製床材において、面取部分或いは雄実部分、またはその両方の長手方向に渡って蓄光塗装を施したことを特徴とする木製床材。
【請求項２】
住宅等に施工される木製壁材において、面取部分或いは雄実部分、またはその両方の長手方向に渡って蓄光塗装を施したことを特徴とする木製壁材。
【請求項３】
住宅等に施工される木製巾木において、面取部分の長手方向に渡って蓄光塗装を施したことを特徴とする木製巾木。